【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
化粧品ディスペンサシステムにおいて、
コントローラと、
複数のポンプと、
化粧品の成分材料を貯留する複数のリザーバと、
複数のノズルと、
前記複数のノズルを同心円状に配列して支持するマニホルドと、
前記マニホルドの真下に回転可能に取付けられたターンテーブルであって、前記複数のノズルのうちの１つのノズルから吐出される流体を通過させることのできる貫通開口を有するターンテーブルと、
前記ターンテーブルを回転させるためのモータとを備え、
前記コントローラは、前記複数のニューテート型ポンプと前記モータとに接続されており、
前記複数のポンプの各々が前記複数のリザーバの１つずつに連通し、且つ、前記複数のリザーバの各々が前記複数のポンプの１つずつに連通しており、更に、前記複数のポンプの各々が前記複数のノズルの１つずつに接続され、且つ、前記複数のノズルの各々が前記複数のポンプの１つずつに接続されている、
ことを特徴とする化粧品ディスペンサシステム。
【請求項２】
前記コントローラが更に、調合すべき化粧品の調合処方を入力するための、キーボードまたはタッチスクリーンのいずれか１つに接続されていることを特徴とする請求項１記載のシステム。
【請求項３】
前記コントローラが、前記モータを動作させてターンテーブルを回転させることによって、前記貫通開口を前記複数のノズルのうちの１つのノズルの真下に位置付け、続いて、当該ノズルに接続した前記ポンプを動作させることによって、当該ポンプに接続されている前記リザーバから、当該ノズルを介して、更に前記貫通開口を通過させて、前記貫通開口の下方に位置付けられている容器へ流体を計量供給することを特徴とする請求項１記載のシステム。
【請求項４】
前記ターンテーブルは、その上面が前記マニホルドに対向しており、その下面に容器ホルダが接続しており、該容器ホルダは、前記容器の開口部が前記貫通開口の真下に位置するようにして前記容器を保持するものであることを特徴とする請求項３記載のシステム。
【請求項５】
前記容器ホルダが、下方へ延出した互いに同心的な２つの部分円筒形の壁部から成り、それら２つの壁部の各々に、容器のネック部を把持するための径方向内方へ突出したリップ部が形成されており、それら２つの壁部が２つの異なる半径で形成されていることで、２つの異なるサイズの容器に対応可能となっていることを特徴とする請求項４記載のシステム。
【請求項６】
前記ターンテーブルの前記貫通開口に配設された滴切りを更に備えたことを特徴とする請求項４記載のシステム。
【請求項７】
前記滴切りが、前記貫通開口を横断して延在するワイヤから成り、該ワイヤは前記ターンテーブルが１つのノズルから離れて別のノズルへ向かって回転する際に滴に当たるようにしてあることを特徴とする請求項６記載のシステム。
【請求項８】
前記滴切りが、前記貫通開口の両側において前記貫通開口を横断して延在する２本のワイヤから成り、それらワイヤの一方は前記ターンテーブルが一方向へ回転するときに滴に当たり、他方のワイヤは前記ターンテーブルが他方向へ回転するときに滴に当たるようにしてあることを特徴とする請求項７記載のシステム。
【請求項９】
前記ワイヤが、該ワイヤに電流が流されることによって加熱されるようにしてあることを特徴とする請求項７記載のシステム。
【請求項１０】
前記２本のワイヤが、それらワイヤに電流が流されることによって加熱されるようにしてあることを特徴とする請求項８記載のシステム。
【請求項１１】
前記滴切りが、エアーナイフであることを特徴とする請求項６記載のシステム。
【請求項１２】
前記複数のノズルの各々が、逆止弁を備えていることを特徴とする請求項１記載のシステム。
【請求項１３】
前記ポンプの各々が、逆止弁を備えているニューテート型ポンプであることを特徴とする請求項１記載のシステム。
【請求項１４】
前記ポンプの各々が、ニューテート型ポンプであって、前記コントローラが、計量供給の完了後に前記複数のニューテート型ポンプの各々へ信号を送出して部分的な逆方向移動ストロークまたは部分的な逆方向吸引ストロークを実行させることによって前記ノズルからの滴の落下を抑制することを特徴とする請求項１記載のシステム。
【請求項１５】
販売時点で容器内にて化粧品を調合する方法において、
上方開口を有する容器を用意し、該容器を、請求項１記載のディスペンサシステムの前記ターンテーブルの下面の、該ターンテーブルの前記貫通開口の真下に装着し、
容器サイズ及び調合処方を前記コントローラに入力し、
前記ターンテーブルを回転させて、第１のベース懸濁液を貯留しているリザーバに接続されているポンプに接続されているノズルの真下に前記貫通開口を位置付けて、当該ポンプを作動させることにより前記第１のベース懸濁液の所要量を前記容器へ供給し、
前記ターンテーブルを回転させて、１つまたは複数の着色剤を含有する懸濁液を貯留しているリザーバに接続されているポンプに接続されているノズルの真下に前記貫通開口を位置付けて、当該ポンプを作動させることにより１つまたは複数の着色剤を含有する前記懸濁液の所要量を前記容器へ、前記第１のベース懸濁液の上に供給し、更に、前記調合処方に従って供給すべき着色剤を含有する全ての懸濁液についてこれを反復実行し、
前記ターンテーブルを回転させて、第２のベース懸濁液を貯留しているリザーバに接続されているポンプに接続されているノズルの真下に前記貫通開口を位置付けて、当該ポンプを作動させることにより前記第２のベース懸濁液を前記容器へ供給し、
前記容器を取外し、該容器の前記上方開口を蓋で閉塞する、
ことを特徴とする方法。
【請求項１６】
更に、前記容器に貼付するラベルに、入力された調合処方の名称を印字することを特徴とする請求項１５記載の方法。
【請求項１７】
前記容器が、その端部に前記上方開口が形成されたネック部を備えており、前記方法において更に、前記容器の前記ネック部にブッシュを押し込むようにし、それによって、前記懸濁液を供給する際に、前記懸濁液が上方へ撥ね散って前記ネック部に入ること並びに前記懸濁液が前記ネック部上に垂れ落ちることを防止することを特徴とする請求項１５記載の方法。
【請求項１８】
化粧品ディスペンサシステムにおいて、
コントローラと、
前記コントローラに接続された化粧品の調合処方を入力するための入力端末と、
複数のニューテート型ポンプと、
化粧品の成分材料を貯留する複数のリザーバと、
複数のノズルと、
前記複数のノズルを同心円状に配列して支持するマニホルドと、
前記マニホルドの真下に回転可能に取付けられたターンテーブルであって、前記複数のノズルのうちの１つのノズルから吐出される流体を通過させることのできる貫通開口を有し、その上面が前記マニホルドに対向しており、その下面に容器ホルダが接続しており、該容器ホルダは、前記容器の開口部が前記貫通開口の真下に位置するようにして前記容器を保持するものであるターンテーブルと、
前記ターンテーブルに取付けられ、少なくとも部分的に前記貫通開口を横断して延在する滴切りと、
前記ターンテーブルを回転させるためのモータとを備え、
前記コントローラは、前記複数のニューテート型ポンプと前記モータとに接続されており、
前記複数のポンプの各々が前記複数のリザーバの１つずつに連通し、且つ、前記複数のリザーバの各々が前記複数のポンプの１つずつに連通しており、更に、前記複数のポンプの各々が前記複数のノズルの１つずつに接続され、且つ、前記複数のノズルの各々が前記複数のポンプの１つずつに接続されており、
前記コントローラが、前記モータを動作させてターンテーブルを回転させることによって、前記貫通開口を前記複数のノズルのうちの１つのノズルの真下に位置付け、続いて、当該ノズルに接続した前記ポンプを動作させることによって、当該ポンプに接続されている前記リザーバから、当該ノズルを介して、更に前記貫通開口を通過させて、前記貫通開口の下方に位置付けられている前記容器へ流体を計量供給するようにしてある、
ことを特徴とする化粧品ディスペンサシステム。
【請求項１９】
前記容器ホルダが、下方へ延出した互いに同心的な２つの部分円筒形の壁部から成り、それら２つの壁部の各々に、容器のネック部を把持するための径方向内方へ突出したリップ部が形成されており、それら２つの壁部が２つの異なる半径で形成されていることで、２つの異なるサイズの容器に対応可能であることを特徴とする請求項１８記載のシステム。
【請求項２０】
前記滴切りが、前記貫通開口を横断して延在するワイヤから成り、該ワイヤは前記ターンテーブルが１つのノズルから離れて別のノズルへ向かって回転する際に滴に当たるようにしてあり、該ワイヤは該ワイヤを加熱するための電流源に接続されていることを特徴とする請求項１８記載のシステム。
【請求項２１】
前記滴切りが、前記貫通開口の両側において前記貫通開口を横断して延在する２本のワイヤから成り、それらワイヤの一方は前記ターンテーブルが一方向へ回転するときに滴に当たり、他方のワイヤは前記ターンテーブルが他方向へ回転するときに滴に当たるようにしてあり、それら２本のワイヤはそれらワイヤを加熱するための電流源に接続されていることを特徴とする請求項２０記載のシステム。
【請求項２２】
前記コントローラが、供給の完了後に前記複数のニューテート型ポンプの各々へ信号を送出して部分的な逆方向移動ストロークまたは部分的な逆方向吸引ストロークを実行させることによって前記ノズルからの滴の落下を抑制することを特徴とする請求項１８記載のシステム。
【請求項２３】
前記容器に貼付するラベルに、入力された調合処方の名称を印字するプリンタを更に備えたことを特徴とする請求項１８記載のシステム。
【請求項２４】
前記リザーバのうちの少なくともいくつかがフレキシブルバッグであることを特徴とする請求項１記載のシステム。
【請求項２５】
前記リザーバのうちの少なくともいくつかがフレキシブルバッグであることを特徴とする請求項１８記載のシステム。
【請求項２６】
販売時点で容器内にて化粧品を調合する方法において、
開口上部を有する容器を提供し、かつ該容器を請求項１記載のディスペンサシステムの該ターンテーブルの下、かつ該ターンテーブルの前記貫通開口の真下に配置し、
容器サイズ及び調合処方を前記コントローラに入力し、
該ターンテーブルを、該貫通開口が、第１の成分材料を貯留しているリザーバに接続されているポンプに接続されているノズルの下に配置されるまで回転させ、かつ前記ポンプを作動させて適正な量の該第１の成分材料を該容器へ供給し、
該ターンテーブルを、該貫通開口が、第２の成分材料を貯留しているリザーバに接続されているポンプに接続されているノズルの下に配置されるまで回転させ、かつ前記ポンプを作動させて、適正な量の該第２の成分材料を該容器へ供給し、かつ前記調合処方に従って全ての他の成分材料についてこれを反復し、
該容器を取外し、かつ該容器の該開口上部を蓋で閉鎖する、前記方法。
【請求項２７】
更に、前記容器に貼付するラベルに、入力された調合処方の名称を印刷する、請求項２６記載の方法。
【請求項２８】
前記容器が、前記開口上部で終わるネック部を有し、かつ前記方法において更に、該容器の該ネック部にブッシュを挿入し、それによって、前記懸濁液を供給する間、該懸濁液が上方へ撥ね散って該ネック部に入ること、又は該懸濁液が該ネック部上にこぼれ落ちることを防止する、請求項２６記載の方法。
【請求項２９】
前記リザーバのうちの少なくともいくつかがフレキシブルバッグである、請求項２６記載の方法。